(57)【要約】【課題】オーダ情報毎に各オーダ情報に対応する写真プリント物が仕分け搬送のための搬送路程のどこに位置しているかという情報が簡単に確認できる写真プリント装置を提供する。【解決手段】プリントオーダとともに入力されたプリントソースに基づいて出力された写真プリントをオーダ単位で仕分けして纏められた写真プリント物を搬送路程に沿って搬送する仕分け搬送機構を備えた写真プリント装置。オーダ毎の搬送路程における写真プリント物のリアルタイムの位置を視覚的に確認可能に表示するとともにこの表示された写真プリント物の位置に対応づけて当該写真プリント物に付随するオーダ情報を表示する表示手段が備えられている。【選択図】図６
2007206533.tif 000002
【特許請求の範囲】
【請求項１】
プリントオーダとともに入力されたプリントソースに基づいて写真プリントを出力するプリント部と、出力された写真プリントをオーダ単位で仕分けして纏められた写真プリント物を搬送路程に沿って搬送する仕分け搬送機構とを備えた写真プリント装置において、
オーダ毎の前記写真プリント物の前記搬送路程におけるリアルタイムの位置を視覚的に確認可能に表示するとともにこの表示された写真プリント物の位置に対応づけて当該写真プリント物に付随するオーダ情報を表示する表示手段が備えられていることを特徴とする写真プリント装置。
【請求項２】
前記搬送路程における前記写真プリント物の停止位置毎に位置指標表示体が設けられており、前記表示手段を通じて特定された写真プリント物が前記位置指標表示体に表示されている位置指標によって確認可能であることを特徴とする請求項１に記載の写真プリント装置。
【請求項３】
前記位置指標が不変の文字又は記号あるいはその両方であることを特徴とする請求項２に記載の写真プリント装置。
【請求項４】
前記位置指標表示体が表示変更可能な光学的表示器であるあることを特徴とする請求項２に記載の写真プリント装置。
【請求項５】
前記写真プリント物が前記仕分け搬送機構から取り出された場合に前記表示手段における当該写真プリント物に関する表示の形態が変更されることを特徴とする請求項１又は２に記載の写真プリント装置。
【請求項６】
前記プリント部と仕分け搬送機構が複数セット備えられ、前記表示手段が、共通的に、それぞれの仕分け搬送機構での、オーダ毎の前記写真プリント物の前記搬送路程におけるリアルタイムの位置を表示するとともにこの表示された写真プリント物の位置に対応づけて当該写真プリント物に付随するオーダ情報を表示することを特徴とする請求項１〜５のいずれか１項に記載の写真プリント装置。
【発明の詳細な説明】
【技術分野】
【０００１】
本発明は、プリントオーダとともに入力されたプリントソースに基づいて写真プリントを出力するプリント部と、出力された写真プリントをオーダ単位で仕分けして纏められた写真プリント物を搬送路程に沿って搬送する仕分け搬送機構とを備えた写真プリント装置に関する。
【背景技術】
【０００２】
オーダ毎の商品（一般には複数枚の写真プリントからなる写真プリント物）を仕分けして搬送する仕分け搬送機構を有する写真プリント装置では、プリント注文受注時に発行されたオーダ情報と仕分け搬送機構において仕分けられている写真プリント物とを照合することがオペレータの重要な作業となる。この作業を簡単化するために、ネガフィルムのコマ画像を焼き付けたプリントがオーダ単位で積み込まれるプリント搬入ステーションとオーダ情報に基づいてプリントがチェックされる照合ステーションとにわたって設けられたトレイコンベヤを備え、さらに、各トレイに付与された視認可能な識別記号とこの識別記号を有するトレイの積み荷（写真プリント物）に関する情報とを関連づけて表示するディスプレイが設けられている写真処理装置が提案されている（例えば、特許文献１参照）。この写真処理装置では、例えば、正常に処理されていないプリントがトレイコンベヤのトレイに積み込まれた場合、ディスプレイにそのトレイに付与された識別記号に関連づけてそのトレイの積み荷に関する情報が表示されるので、オペレータはディスプレイの表示から、正常に処理されていないプリントが積み込まれたトレイをすぐに確認することや、全くプリントされなかったオーダがどのトレイの間に位置しているのかといったことが、トレイに付与された識別記号を通じて確認することが可能となる。しかしながら、単にディスプレイに表示された識別記号とこの識別記号を有するトレイの積み荷（写真プリント物）に関する情報を見て、多くのトレイを有するトレイコンベヤから小さく表示された識別記号を頼りに確認対象となるトレイを即座に見つけ出すことは慣れないオペレータにとって手間のかかる作業である。
【０００３】
仕分けコンベヤに積み込まれた写真プリント物から特定の写真プリント物を簡単に見つけ出す目的のために、プリント用紙に画像をプリント処理するための写真処理部と、写真処理部で仕上がったプリントを仕分けるための仕分け部と、所定のオーダを特定するためのオーダ特定手段と、オーダ特定手段で特定されたオーダのプリントを識別するための特定オーダ識別手段とを備え、特定オーダ識別手段が仕分け部（トレイコンベヤ）の各受け皿に対応して設けられたランプから構成された写真処理装置が提案されている（例えば、特許文献２参照）。この写真処理装置では、予めオーダ特定手段で特定されたオーダのプリントが収容される受け皿に対応したランプを点灯させるようにしていることにより、点灯したランプに対応する受け皿から特定の写真プリント物を取り出すことができるが、同時に異なるオーダに対応する別々の受け皿を確認して特定の写真プリント物を取り出すことはできない。さらに、オーダ特定手段を通じて予め見つけ出すべきオーダを特定しておく必要があるので、プリント処理を開始した後で生じた事象も含めたオーダ情報を見ながら特定のオーダに属する写真プリント物の位置を要求するといったことはできなかった。
【０００４】
【特許文献１】特開平１１−２１２２４４号公報（段落番号０００５−０００６、図３）
【特許文献２】特開２００３−３３０１５７号公報（段落番号００６１−００６３、図２）
【発明の開示】
【発明が解決しようとする課題】
【０００５】
上記実状に鑑み、本発明の課題は、冒頭部で述べたような写真プリント装置において、オーダ情報毎に各オーダ情報に対応する写真プリント物が仕分け搬送のための搬送路程のどこに位置しているかという情報が簡単に確認できる写真プリント装置を提供することである。
【課題を解決するための手段】
【０００６】
上記課題を解決するため、プリントオーダとともに入力されたプリントソースに基づいて写真プリントを出力するプリント部と、出力された写真プリントをオーダ単位で仕分けして纏められた写真プリント物を搬送路程に沿って搬送する仕分け搬送機構とを備えた、本発明による写真プリント装置では、オーダ毎の前記写真プリント物の前記搬送路程におけるリアルタイムの位置を視覚的に確認可能に表示するとともにこの表示された写真プリント物の位置に対応づけて当該写真プリント物に付随するオーダ情報を表示する表示手段が備えられている。
【０００７】
この構成では、仕分け搬送機構の搬送路程におけるオーダ毎の写真プリント物の位置が、表示手段によって視覚的に確認可能にモニタ画面などに表示される。しかも、そのモニタ画面には搬送路程における位置によって規定される各写真プリント物に付随するオーダ情報、例えばオーダ番号、プリントサイズ、プリント枚数、緊急度、場合によっては生じたかもしれないプリント処理中のエラーなども表示されるので、この表示内容からオペレータはそれぞれ異なったオーダ情報をもつ各写真プリント物のその時点（リアルタイム）での搬送路程における位置を確認するするこができる。これにより、オペレータは多くのオーダの中から所望のオーダに関する写真プリント物を仕分け搬送機構から容易に取り出すことが可能となる。
【０００８】
仕分け搬送機構としては、トレイコンベヤが代表的であるが単純な平ベルトコンベヤを用いることも可能である。搬送物としての写真プリント物の積み込みやオペレータによる取り出しのためにこれらの仕分けコンベヤはいずれにしても逐次移動することになり、その搬送路程において写真プリント物が所定の停止位置で停止することになる。そのような搬送路程における前記写真プリント物の停止位置毎に位置指標表示体を設け、この位置指標表示体に表示されている位置指標が前記表示手段を通じて特定された写真プリント物の確認に参照されるならば、各オーダ情報に対応する写真プリント物が仕分け搬送のための搬送路程のどこに位置しているかをオペレータはさらに簡単に確認することできる。この位置指標が搬送路程の周辺に印刷や貼り付けなどにより固定された不変の文字又は記号あるいはその両方である場合、前記表示手段において各オーダ情報に対応する写真プリント物のリアルタイムの位置に対応づけてその位置指標を表示することで、実際の搬送路程における視覚的に確認できる空間位置のイメージと位置指標の両方でオペレータは目指す写真プリント物を素早く確実に見出すことができる。また、この位置指標表示体がＬＥＤや液晶ディスプレイなどの表示変更可能な光学的表示器である場合、その位置指標が点滅やディスプレイ文字によって示されるので、特定の写真プリント物によってはその停止位置を示す位置指標の色を変えたり、プリントサイズやプリント枚数（場合によってはエラーメッセージ）といった付加的な情報を表示したりすることが可能となり、さらにオペレータの取り出し確認作業が容易となる。
【０００９】
オペレータが表示手段を通じて選んだ写真プリント物を搬送機構から取り出して、ＤＰ袋等に収納してしまうと、写真プリント注文処理が一応完了することになるので、そのようなオーダに関する情報は必ずしも表示手段に表示し続ける必要はない。そのような表示の続行は、むしろまだ取り出していない写真プリント物を表示手段を通じて選ぶ際の邪魔になりかねない。そのため、写真プリント物が搬送機構から取り出された場合に表示手段における当該写真プリント物に関する情報を削除又は薄く表示するといったようにその表示の形態を変更するように構成することは好都合である。
【００１０】
緊急のプリントや異なるプリントサイズでのプリントといった写真プリント注文を同時的に処理するためには、複数セットのプリント部と仕分け搬送機構が備えられる。このような形態の写真プリント装置では、それぞれの仕分け搬送機構での、オーダ毎の写真プリント物の搬送路程におけるリアルタイムの位置を表示するとともにこの表示された写真プリント物の位置に対応づけて当該写真プリント物に付随するオーダ情報を共通的に表示するように構成することで、複数セットの仕分け搬送機構を管理する場合でもオペレータは、多くのオーダの中から所望のオーダに関する写真プリント物を複数の仕分け搬送機構から容易に取り出すことができる。
【発明を実施するための最良の形態】
【００１１】
本発明の実施の形態について、図面に基づいて説明する。図１は本発明による写真プリント装置の一例を示す外観図である。この写真プリント装置は、一般的には、写真プリント素材の一例としての印画紙Ｐに対して露光処理と現像処理とを行うプリント部としてのプリントステーション１Ａと、現像済み写真フィルム２ａやデジタルカメラ用メモリカード２ｂなどの画像入力メディアから取り込んだプリントソースとしての撮影画像コマ（画像処理上は撮影画像データと表現されるべきであるが、ここでは撮影画像コマと表現し、さらに特に区別する必要がある場合を除いて以後は撮影画像と略称する）を処理してプリントステーション１Ａで使用されるプリントデータの生成・転送などを行う操作ステーション１Ｃとから構成される。なお、この写真プリント装置では、プリント部としてのプリントステーションが２台備えられており、それぞれプリントステーションに対して１Ａと１Ｂの図番が付与されている。
【００１２】
プリントステーション１Ａと１Ｂは、同一機種でもよいし、異機種でもよいが、ここでは異機種のものが採用されており、２つのプリントステーション１Ａと１Ｂには、現像仕上げが完了した印画紙Ｐ、つまり写真プリントＰをオーダ単位で仕分けして、この仕分けされた写真プリントＰ（写真プリント物と称する）を搬送する仕分け搬送機構８０が組み付けられているが、各プリントステーションに組み付けられている仕分け搬送機構８０の形式は異なっている。プリントステーション１Ａの仕分け搬送機構８０は縦周り周回軌道を有するトレイコンベヤとして構成され、プリントステーション１Ａの仕分け搬送機構８０はわずかに搬送方向に対して上向き傾斜しているが実質的には水平な搬送面をもつ水平ベルトコンベヤとして構成されている。
【００１３】
プリントステーション１Ａ又は１Ｂと操作ステーション１Ｃの組み合わせはデジタルミニラボとも称せられるものである。プリントステーション１Ａ又は１Ｂの内部構造は実質的に類似しており、その差は本発明の観点からは大きな意味を持たないので、ここではプリントステーション１Ａの構造だけを説明する。
【００１４】
図２からよく理解できるように、プリントステーション１Ａは２つの印画紙マガジン１１に納めたロール状の印画紙Ｐを引き出してシートカッター１２でプリントサイズに切断すると共に、このように切断された印画紙Ｐに対し、バックプリント部１３で色補正情報やコマ番号などのプリント処理情報を印画紙Ｐの裏面に印字するとともに、プリント露光部１４で印画紙Ｐの表面に撮影画像の露光を行い、この露光後の印画紙Ｐを複数の現像処理槽を有した処理槽ユニット１５に送り込んで現像処理する。乾燥部１６を通過後に装置上部から排出された印画紙Ｐ、つまり写真プリントＰは、横送りコンベヤ１７から仕分け搬送機構８０に送られ、この仕分け搬送機構８０の各トレイ８１にオーダ単位で仕分けられた状態で集積される（図１参照）。
【００１５】
上述した印画紙Ｐに対する各種処理に合わせた搬送速度でその印画紙Ｐを搬送するために印画紙搬送機構１８が敷設されている。印画紙搬送機構１８は、印画紙搬送方向に関してプリント露光部１４の前後に配置されたチャッカー式印画紙搬送ユニット１８ａを含む複数の挟持搬送ローラ対から構成されている。
【００１６】
プリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃとを備えている。
【００１７】
前記操作ステーション１Ａのデスク状コンソールの上部位置には、写真フィルム２ａの撮影画像コマから撮影画像データを取得するフィルムスキャナ２０が配置されており、デジタルカメラ等に装着される撮影画像記録媒体２ｂとして用いられている各種メモリカードやＣＤ−Ｒなどから撮影画像を取得するメディアリーダ２１は、この写真プリント装置のコントローラ３として機能する汎用パソコン２２に組み込まれている。この汎用パソコンには、さらに各種情報を表示する表示手段の表示機器としてのモニタ２３、各種設定や調整を行う際に用いる操作入力部２４として利用される操作入力デバイス、例えばキーボード２４ａやマウス２４ｂも接続されている。
【００１８】
この写真プリント装置のコントローラ３は、ＣＰＵを中核部材として、写真プリント装置の種々の動作を行うための機能部をハードウエア又はソフトウエアあるいはその両方で構築しているが、図３に示されているように、写真プリント処理に関係する機能部としては、スキャナ２０やメディアリーダ２１によって読み取られた撮影画像を取り込んで次の処理のために必要な前処理を行う画像入力部３１と、ユーザ操作入力（キーボード２４ａやマウス２４ｂなどによる）から操作コマンドを生成する操作入力処理部３３と、画像入力部３１からメモリ３２に転送された撮影画像に対する画像処理を制御コマンドに基づいて行う画像処理部３４、オーダ単位のオーダ番号やプリントサイズやプリント枚数などのオーダ情報やこのオーダ情報に基づく写真プリント処理に関する各種情報を管理するプリント管理部３０と、各種操作ウインドウや各種情報表示ウインドウなどを含むグラフィック操作画面の作成やそのようなグラフィック操作画面を通じての操作入力処理部３３からの操作コマンドから制御コマンドを生成するグラフィックユーザインターフェース（以下ＧＵＩと略称する）を構築するＧＵＩ部３５と、画像処理が完了した処理済み撮影画像に基づいてプリント部としてのプリントステーション１Ａに装備されているプリント露光部１４に適したプリントデータを生成するプリントデータ生成部３６などが挙げられる。
【００１９】
画像入力部３１は、撮影画像記録媒体がフィルム２ａの場合プレスキャンモードと本スキャンモードによってそれぞれの適切なタイミングで生成された低解像度と高解像度のスキャンデータを別々にメモリ３２に送り込み、それぞれの目的に合わせた前処理を行う。また、撮影画像記録媒体がメモリカード２ｂの場合、取り込んだ撮影画像にサムネイル画像データ（低解像度データ）が含まれている場合はモニタ２３での一覧表示などの目的で使用するため撮影画像の本データ（高解像度データ）とは別にメモリ３２に送り込むが、もしサムネイル画像データが含まれていない場合は本データから縮小画像を作り出してサムネイル画像データとしてメモリ３２に送り込む。また、この画像入力部３１には、写真プリント受付装置２５と呼ばれているセルフサービスで写真プリントを受け付ける装置も接続されており、この写真プリント受付装置２５から、プリントサイズやプリント枚数を記録しているプリント注文データと撮影条件などを記録している画像属性データと撮影画像データとを受け取ると、撮影画像データをメモリ３２に転送し、プリント注文データや画像属性データは、ユニークなＩＤコードとしてのオーダ番号にリンクされてプリント管理部３０に転送される。通常の写真プリント注文の場合には、プリントサイズやプリント枚数などのプリント注文データは、キーボード２４ａなどの操作入力部２４を通じてのオペレータの操作入力によって入力されるとともに同様にユニークなＩＤコードとしてのオーダ番号にリンクされてプリント管理部３０に与えられる。このようにオーダ番号にリンクされる情報がオーダ情報である。
【００２０】
プリント管理部３０には、プリントサイズやプリント枚数といったプリント注文データをオーダ単位で管理するプリント注文処理モジュール３０ａ、印画紙搬送機構１８や仕分け搬送機構８０を制御してプリント注文処理モジュール３０ａで管理されているプリント注文オーダの内処理対象となっているオーダに属する写真プリントＰを管理するオーダ管理モジュール３０ｂ、このオーダ管理モジュール３０ｂで管理されている情報に基づいて処理対象となっているオーダに属する写真プリントＰの仕上がりセットである写真プリント物が載せられているトレイ８１を特定するとともにその特定されたトレイ８１のリアルタイムの停止位置情報を当該写真プリント物に付随するオーダ情報とともにＧＵＩ部３５に与える写真プリント物位置情報管理モジュール３０ｃが構築されている。
【００２１】
図４から明らかなように、プリントステーション１Ａに組み付けられている仕分け搬送機構８０としてのトレイコンベヤのトレイ８１の周回軌道のうち横送りコンベヤ１７から受け取った写真プリント物を載せながら下方に間欠移動する搬送路程におけるトレイ８１の停止位置を示す位置指標８３としての数字がトレイコンベヤハウジングに付与されている。これにより、コントローラ３はオーダ管理モジュール３０ｂと写真プリント物位置情報管理モジュール３０ｃとＧＵＩ部３５の機能を用いて、特定の写真プリント物を載せたトレイ８１の停止位置を規定することになる位置指標８３をモニタ２３を通じて表示出力することが可能となる。同様な構成は、プリントステーション１Ｂに組み付けられている仕分け搬送機構８０としての水平ベルトコンベヤにも備えられており、図５で示すように、間欠移動する水平ベルトコンベヤの搬送路程の隣接位置にベルト８２に載せられた写真プリント物の停止位置を示す位置指標８３としての数字が付与されている。
【００２２】
写真プリント処理が始まり、オーダ単位の写真プリントＰが次々に出力され、オーダ単位で纏められた写真プリント物が仕分け搬送機構８０としてのトレイコンベヤのトレイ８１や水平ベルトコンベヤのベルト８２に規定されているプリント載置領域に載せられていくと、写真プリント物位置情報管理モジュール３０ｃによって決定された各オーダ情報とこのオーダ情報に対応する写真プリント物を載せたトレイ８１又はベルト８２のプリント載置領域のリアルタイムの停止位置情報がＧＵＩ部３５に与えられる。これに応答して、ＧＵＩ部３５は、オーダ毎の写真プリント物の各搬送路程におけるリアルタイムの位置をグラフィック表示するとともにこの表示された写真プリント物の位置に対応づけて当該写真プリント物に付随するオーダ情報を表示する画面データを生成してモニタ２３に送り出す。そのような画面データに基づいてモニタ２３に表示された写真プリント物リアルタイム表示ウインドウ（表示画面）５０の一例が図６で示されている。
【００２３】
この写真プリント物リアルタイム表示ウインドウ５０は、左右２つに分割されており左側領域はプリント部１Ａのための領域５１であり、右側領域はプリント部１Ｂのための領域５２となっている。従って、領域５１には縦周回軌道を有するトレイコンベヤの搬送路程を表す模式的なイラストが表示されており、領域５２には水平ベルトコンベヤの搬送路程を表す模式的なイラストが表示されている。トレイコンベヤの方では、搬送路程を上から下に間欠移動する各トレイのイラストとこのトレイ上に載せられた写真プリント物を抽象化した矩形イラスト５３も図示されている。さらに矩形イラスト５３にはオーダ番号が付記されているとともに、各トレイが停止している停止位置を示す位置指標８３に対応する記号５４も付記されている。同様に、水平ベルトコンベヤの方では、搬送路程を横方向に間欠移動するベルトのイラストとこのベルト上に載せられた写真プリント物を抽象化した矩形イラスト５３も図示されている。ここでも、さらに矩形イラストにはオーダ番号が付記されているとともに、各トレイが停止している停止位置を示す位置指標８３に対応する記号５４も付記されている。これにより、オペレータは、特定のオーダ番号に属する写真プリント物を載せているトレイが位置（停止）している場所を、実際のコンベヤの外観形状に対応した形で、視覚的に確認することができる。
【００２４】
さらに、オーダ番号を付記している矩形イラスト５３にカーソルを位置させると、プリントサイズやプリント枚数や受け渡し予定時刻などのオーダ情報を示すオーダ情報表示ウインドウ６０をポップアップするので、仕分け搬送機構８０におけるリアルタイムの各写真プリント物の位置とともにそのオーダ情報も把握することができる。もちろん、画面スペースに余裕がある場合、オーダ情報をポップアップウインドウで表示するのではなく、直接写真プリント物リアルタイム表示ウインドウ５０内でオーダ番号つまり矩形イラスト５３に対応させる位置に描画する構成を採用してもよい。
【００２５】
この写真プリント物リアルタイム表示ウインドウ５０の表示内容は、仕分け搬送機構８０の動作に伴って写真プリント物の位置も逐次変化するので、写真プリント物の位置変化を生じる毎に書き換えられる。図７に示す写真プリント物リアルタイム表示ウインドウ５０は、図６から所定時間経過後の仕分け搬送機構８０におけるリアルタイムの各写真プリント物の位置を示している。
【００２６】
実際に、オペレータが仕分け搬送機構８０から特定の写真プリント物を取り出し、矩形イラスト５３の右横のチェックボックスをチェックするとオーダ番号を含む矩形イラスト５３が薄く表示されるか、あるいは消去され、既に取り出し完了であることを視覚的に表現させることになる。
【００２７】
上述した実施の形態では、位置指標８３は搬送路程周辺に固定した数字や記号の形で表示されていたが、この位置指標８３を光学的表示器で構成してもよい。例えば、図８に示すように位置指標８３をＬＥＤなどのランプで構成すると、写真プリント物リアルタイム表示ウインドウ５０内で所望のオーダ番号（矩形イラスト５３）を選択することに応答して対応する写真プリント物に対応する位置指標８３としてのＬＥＤを点灯させることができ、さらにオーダ番号と写真プリント物の照合作業を容易にする。また、位置指標８３を液晶などのディスプレイで構成すると、位置指標８３それ自体にオーダ番号などのオーダ情報の少なくとも一部を表示されることが可能となる。
【００２８】
上述した実施の形態では、操作ステーション１Ｃにプリント部１Ａ、１Ｂとしてのプリントステーションを２台接続し、共通的に、それぞれの仕分け搬送機構８０での、オーダ毎の写真プリント物の前記搬送路程におけるリアルタイムの位置及びこの表示された写真プリント物の位置に対応づけて当該写真プリント物に付随するオーダ情報をモニタ２３に表示する構成であったが、写真プリント装置を例としたが、もちろんプリントステーションが１台だけでもよいし（この場合１つの仕分け搬送機構８０での写真プリント物のリアルタイムの位置とオーダ情報がモニタ表示される）、３台以上でもよい（この場合、モニタ画面をさらに分割するか別画面構成にしてもよい）。
【図面の簡単な説明】
【００２９】
【図１】本発明による写真プリント装置の一実施形態を示す外観図
【図２】１つのプリントステーションの構成を模式的に示す模式図
【図３】写真プリント装置のコントローラ内に構築される機能要素を説明する機能ブロック図
【図４】トレイコンベヤタイプの仕分け搬送機構と位置指標の関係を示す説明図
【図５】水平ベルトコンベヤタイプの仕分け搬送機構と位置指標の関係を示す説明図
【図６】写真プリント物リアルタイム表示画面の一例を示すモニタ画面図
【図７】図６とは異なるタイミングでの写真プリント物リアルタイム表示画面の一例を示すモニタ画面図
【図８】ランプで構成された位置指標を示す説明図
【符号の説明】
【００３０】
１Ａ：プリントステーション（プリント部）
１Ｂ：プリントステーション（プリント部）
２３：モニタ（表示手段）
３０：プリント管理部
３０ａ：プリント注文処理モジュール
３０ｂ：オーダ管理モジュール（表示手段）
３０ｃ：写真プリント物位置情報管理モジュール（表示手段）
３５：ＧＵＩ部（表示手段）
５０：写真プリント物リアルタイム表示ウインドウ
５３：矩形イラスト
６０：オーダ情報表示ウインドウ
８０：仕分け搬送機構
８１：トレイ
８２：ベルト
８３：位置指標
Ｐ：印画紙（記録媒体）
【図１】
2007206533.tif 000003
【図２】
2007206533.tif 000004
【図３】
2007206533.tif 000005
【図４】
2007206533.tif 000006
【図５】
2007206533.tif 000007
【図６】
2007206533.tif 000008
【図７】
2007206533.tif 000009
【図８】
2007206533.tif 000010